(57)【要約】  本技術は、修正型ＲＦパワーコンバイナを提供する。修正型ＲＦパワーコンバイナは、整合回路と、複数の第１のＲＦポートと、１つだけの第２のＲＦポートと、ケーシングとを含む。整合回路は、ケーシングの内部に配置されている。複数の第１のＲＦポートおよび第２のＲＦポートは、ケーシングの第１の側に配置されている。
2017538358.tif 000002
【特許請求の範囲】
【請求項１】
整合回路（３）と、複数の第１のＲＦポート（４）と、１つだけの第２のＲＦポート（７）と、ケーシング（２）とを有する修正型ＲＦパワーコンバイナ（１）であって、
前記整合回路（３）は、前記ケーシング（２）の内部に配置されている、
修正型ＲＦパワーコンバイナ（１）において、
前記複数の第１のＲＦポート（４）および前記第２のＲＦポート（７）は、前記ケーシング（２）の第１の側（２１）に配置されている、
ことを特徴とする修正型ＲＦパワーコンバイナ（１）。
【請求項２】
前記第１のＲＦポート（４）の各々は、内部導体（５）の１つを介して前記整合回路（３）に接続されている、
請求項１記載の修正型ＲＦパワーコンバイナ（１）。
【請求項３】
前記内部導体（５）の各々は、前記ケーシング（２）の内部に配置されている、
請求項２記載の修正型ＲＦパワーコンバイナ（１）。
【請求項４】
前記第２のＲＦポート（７）は、単一の伝送線路（６）を介して前記整合回路（３）に接続されている、
請求項１から３までのいずれか１項記載の修正型ＲＦパワーコンバイナ（１）。
【請求項５】
前記単一の伝送線路（６）は、前記ケーシング（２）の内部に配置されている、
請求項４記載の修正型ＲＦパワーコンバイナ（１）。
【請求項６】
前記単一の伝送線路（６）は、前記整合回路（３）と前記第２のＲＦポート（７）との間に１８０度の折り返しを形成している、
請求項５記載の修正型ＲＦパワーコンバイナ（１）。
【請求項７】
前記ケーシング（２）は、直方体の形状であり、前記ケーシング（２）の前記第１の側（２１）は、前記直方体の面の１つである、
請求項１から６までのいずれか１項記載の修正型ＲＦパワーコンバイナ（１）。
【請求項８】
前記ケーシング（２）は、１９インチラックの内部に取り付けることができるように適合されている、
請求項７記載の修正型ＲＦパワーコンバイナ（１）。
【請求項９】
前記ケーシング（２）は、前記修正型ＲＦパワーコンバイナ（１）を１９インチラックの内部に取り付けるための取付け手段（１４）を有する、
請求項８記載の修正型ＲＦパワーコンバイナ（１）。
【請求項１０】
前記取付け手段（１４）は、スライド手段であり、
１９インチラックのレールに前記スライド手段をスライド式に係合させることによって、前記修正型ＲＦパワーコンバイナ（１）を前記１９インチラックの内部に取り付けることができる、
請求項９記載の修正型ＲＦパワーコンバイナ（１）。
【請求項１１】
前記取付け手段（１４）は、前記修正型ＲＦパワーコンバイナ（１）を１９インチラックの内部に固定的に取り付けるための締結手段である、
請求項９記載の修正型ＲＦパワーコンバイナ（１）。
【請求項１２】
前記複数の第１のＲＦポート（４）および前記第２のＲＦポート（７）は、前記第１の側（２１）に位置する前記ケーシング（２）の壁（２５）に埋め込まれている、
請求項１から１１までのいずれか１項記載の修正型ＲＦパワーコンバイナ（１）。
【請求項１３】
前記ケーシング（２）の前記壁（２５）は、前記壁（２５）に埋め込まれている前記複数の第１のＲＦポート（４）および前記第２のＲＦポート（７）と共に、容積を完全に包囲しており、前記整合回路（３）は、前記容積内に配置されている、
請求項１２記載の修正型ＲＦパワーコンバイナ（１）。
【発明の詳細な説明】
【技術分野】
【０００１】
本発明は、ＲＦパワーコンバイナまたはＲＦパワースプリッタに関する。
【０００２】
ＲＦパワーコンバイナは、ＲＦ（高周波）電力またはＲＦ信号を合成する必要がある場合に高周波技術において使用される装置である。ＲＦパワーコンバイナは、複数のＲＦ入力を受信し、受信したＲＦ入力のインピーダンスを単一の出力のインピーダンスに変換する。ＲＦパワースプリッタは、ＲＦパワーディバイダとしても知られており、ＲＦ電力またはＲＦ信号を分配する必要がある場合に高周波技術において使用される装置である。ＲＦパワースプリッタは、単一のＲＦ入力を受信し、受信したＲＦ入力のインピーダンスを複数のＲＦ出力のインピーダンスに変換する。したがって、ＲＦパワーコンバイナおよびＲＦスプリッタは、基本的には同じＲＦ装置であり、整合回路を含む。整合回路は、ＲＦ電力を合成または分配するために使用することができ、唯一の違いは、ＲＦスプリッタの場合にはＲＦ電力が１つのポートに印加されて他のポートから取り出され、ＲＦコンバイナの場合にはＲＦ電力が反対方向に印加されるということにある。
【０００３】
本開示におけるＲＦパワーコンバイナまたはＲＦパワースプリッタは、同一のものを意味しており、以下ではＲＦパワーコンバイナと呼ばれている。高周波技術の分野で知られているＲＦパワーコンバイナは、線形の方向性を有しているので、ＲＦ電力の入力部と出力部とは、ＲＦパワーコンバイナのそれぞれ異なる側に線形の配列で配置される。このような従来型ＲＦパワーコンバイナがＲＦ区域の組み立てに使用され、標準化されたモジュール式のシステム内に、例えば１９インチラック内に配置される場合には、ＲＦ出力またはＲＦ入力を伝送するＲＦコネクタを、このような標準化されたモジュールの同じ側に設ける必要性が生じる。この必要性を満たすために、追加的な導波管ベンドが使用されており、例えばＲＦシステムが矩形の導波管構造に基づいている場合には、ＥベンドまたはＨベンドが使用されており、あるいはＲＦシステムが同軸管を用いて動作する場合には、同軸「エルボ」が使用されている。この結果、ＲＦシステムの全体寸法が大きくなり、コストが高くなる。なぜなら、このようなＲＦシステムまたはＲＦ区域の組み立てには、複数のコンポーネント、すなわち少なくともパワーコンバイナと、追加的な導波管ベンドとが必然的に伴うからである。
【０００４】
さらにはほとんどの場合、物理的な接触部、例えば導波管フランジは、ＲＦ区域における追加的な導波管ベンドと、ＲＦ出力部またはＲＦ入力部との間の接続を確立および維持することも要求される。物理的な接触部は、ＲＦパワーコンバイナの適切な機能を保証し、ひいてはＲＦシステム全体の性能が損なわれないことを保証するために、接触不良または位置ずれから保護される必要がある。さらには、このようなＲＦ区域またはＲＦシステムを、複数のＲＦ装置を用いて、すなわち従来型ＲＦパワーコンバイナ、追加的な導波管ベンド、導波管フランジなどを用いて組み立てることは複雑かつ煩雑であり、ひいては専門知識および経験を必要とする。
【０００５】
したがって、本技術の課題は、コンパクトでＲＦ区域への組み込みが容易であり、ＲＦ区域におけるＲＦパワーコンバイナの追加的な導波管ベンドと、ＲＦ出力部またはＲＦ入力部との間の接続部の断絶の可能性を少なくとも部分的に回避した、修正型ＲＦコンバイナを提供することである。
【０００６】
上記の課題は、本技術の請求項１に記載の修正型ＲＦパワーコンバイナによって解決される。本技術の有利な実施形態は、従属請求項に記載されている。請求項１の特徴を従属請求項の特徴と組み合わせてもよく、また複数の従属請求項の特徴同士を一緒に組み合わせることが可能である。
【０００７】
本技術の１つの態様によれば、修正型ＲＦパワーコンバイナが提供される。修正型ＲＦパワーコンバイナは、整合回路と、複数の第１のＲＦポートと、１つだけの第２のＲＦポートと、ケーシングとを含む。整合回路は、ケーシングの内部に配置されている。複数の第１のＲＦポートおよび第２のＲＦポートは、ケーシングの第１の側に配置されている。修正型ＲＦパワーコンバイナでは、第２のＲＦポートは、整合回路および複数の第１のＲＦポートの各々と直列に接続されている。結果として、修正型ＲＦパワーコンバイナは、ＲＦ区域またはＲＦシステムまたは任意の標準化されたモジュールに導入された場合にコンパクトになる。なぜなら、追加的な導波管ベンドを設ける必要性が、少なくとも部分的に軽減されているからである。さらには、追加的な導波管ベンド、および導波管フランジのような物理的な接触部の必要性が回避されるので、ＲＦ区域におけるＲＦパワーコンバイナの追加的な導波管ベンドとＲＦ出力部またはＲＦ出力部との間の接続部の断絶が回避される。さらには、ＲＦ区域または標準化されたモジュールへの修正型ＲＦパワーコンバイナの組み込みはより簡単であり、かつ手間がかからない。
【０００８】
修正型ＲＦパワーコンバイナの１つの実施形態では、第１のＲＦポートの各々は、内部導体を介して整合回路に接続されている。このことは、修正型ＲＦパワーコンバイナがＲＦ電力を合成するように機能する場合には、ケーシングの分解または開放を必要とすることなく、ケーシングの内部に配置された整合回路に、第１のＲＦポートを介してＲＦ電力を有利に供給可能となることを保証する。あるいは、このことは、修正型ＲＦパワーコンバイナがＲＦ電力を分配するように機能する場合には、ケーシングの分解または開放を必要とすることなく、ケーシングの内部に配置された整合回路から、第１のＲＦポートを介してＲＦ電力を有利に受信可能となることも保証する。第１のＲＦポートは、整合回路に並列に接続されている。
【０００９】
修正型ＲＦパワーコンバイナの別の実施形態では、内部導体の各々は、ケーシングの内部に配置されている。したがってケーシングは、内部導体を保護し、さらには、修正型ＲＦパワーコンバイナがＲＦ区域に組み込まれている場合、または格納されている場合、または搬送されている場合における、もしくはＲＦ区域の一部として動作している最中における、第１のＲＦポートと整合回路との間の接続部の断絶のいかなる可能性も、少なくとも部分的に回避されることを保証する。
【００１０】
修正型ＲＦパワーコンバイナの別の実施形態では、第２のＲＦポートは、単一の伝送線路を介して整合回路に接続されている。このことは、修正型ＲＦパワーコンバイナがＲＦ電力を合成するように機能する場合には、ケーシングの分解または開放を必要とすることなく、ケーシングの内部に配置された整合回路から、第２のＲＦポートを介してＲＦ電力を有利に受信可能となることを保証する。あるいは、このことは、修正型ＲＦパワーコンバイナがＲＦ電力を分配するように機能する場合には、ケーシングの分解または開放を必要とすることなく、ケーシングの内部に配置された整合回路に、第２のＲＦポートを介してＲＦ電力を有利に供給可能となることを保証する。
【００１１】
修正型ＲＦパワーコンバイナの別の実施形態では、単一の伝送線路は、ケーシングの内部に配置されている。したがってケーシングは、単一の伝送線路を保護し、さらには、修正型ＲＦパワーコンバイナがＲＦ区域に組み込まれている場合、または格納されている場合、または搬送されている場合における、もしくはＲＦ区域の一部として動作している最中における、第２のＲＦポートと整合回路との間の接続部の断絶のいかなる可能性も、少なくとも部分的に回避されることを保証する。
【００１２】
修正型ＲＦパワーコンバイナの別の実施形態では、単一の伝送線路は、整合回路と第２のＲＦポートとの間に１８０度の折り返しを形成している。これにより、整合回路および単一の伝送線路を、ケーシングの内部において第２のＲＦポートに対して相対的に配置する簡単な方法が提供される。
【００１３】
修正型ＲＦパワーコンバイナの別の実施形態では、ケーシングは、直方体の形状である。ケーシングの第１の側は、直方体の面の１つである。このようなケーシングは、製造が容易であり、複数の機器モジュールを取り付けるための標準化されたフレームまたはエンクロージャに適合する寸法で製造することが可能である。
【００１４】
修正型ＲＦパワーコンバイナの別の実施形態では、ケーシングは、１９インチラックの内部に取り付けることができるように適合されている。このような１９インチラックまたは１９インチキャビネットは、種々のＲＦ区域またはＲＦシステムにおいて使用されており、したがって、修正型ＲＦパワーコンバイナは、そのようなＲＦ区域またはＲＦシステムに組み込まれるように物理的に適合されている。
【００１５】
修正型ＲＦパワーコンバイナの別の実施形態では、ケーシングは、修正型ＲＦパワーコンバイナを１９インチラックの内部に取り付けるための取付け手段を含む。したがって、修正型ＲＦパワーコンバイナを１９インチラックの内部に取り付けるための追加的な手段または複雑な仕掛けの必要性が、少なくとも部分的に回避される。
【００１６】
修正型ＲＦパワーコンバイナの別の実施形態では、取付け手段は、スライド手段であり、１９インチラックのレールにスライド手段をスライド式に係合させることによって、修正型ＲＦパワーコンバイナを１９インチラックの内部に取り付けることができる。このことにより、修正型ＲＦパワーコンバイナと１９インチラックとを結合および／または分離する必要性が少なくとも部分的に回避される。さらには、修正型ＲＦパワーコンバイナを１９インチラックから容易に取り外すことが可能となり、このことは、修正型ＲＦパワーコンバイナ、または１９インチラック、または１９インチラックに取り付けられた他の任意のコンポーネントの検査または保守のために必要となる場合がある。
【００１７】
修正型ＲＦパワーコンバイナの別の実施形態では、取付け手段は、修正型ＲＦパワーコンバイナを１９インチラックの内部に固定的に取り付けるための締結手段である。したがって、修正型ＲＦパワーコンバイナは、１９インチラックの内部に取り付けられると所定の位置に留まり、１９インチラックまたはその周囲の物理的な障害によって位置ずれすることがない。
【００１８】
修正型ＲＦパワーコンバイナの別の実施形態では、複数の第１のＲＦポートおよび第２のＲＦポートは、ケーシングの第１の側に位置するケーシングの壁に埋め込まれている。したがって、ケーシングの第１の側に第１のＲＦポートおよび第２のＲＦポートを装着する追加的な必要性が、少なくとも部分的に回避される。
【００１９】
修正型ＲＦパワーコンバイナの別の実施形態では、ケーシングの壁は、壁に埋め込まれている複数の第１のＲＦポートおよび第２のＲＦポートと共に、容積を完全に包囲している。整合回路は、容積内に配置されている。したがって、整合回路と、整合回路と第１のＲＦポートおよび第２のＲＦポートとの接続部とが、外乱から保護されている。
【００２０】
本技術は、添付の図面に示されている例示された実施形態を参照して以下にさらに説明される。
【図面の簡単な説明】
【００２１】
【図１】本技術の態様によるＲＦ電力を合成または分配するための修正型ＲＦパワーコンバイナ１を示す。
【００２２】
以下、本技術の上述した特徴およびその他の特徴について詳細に説明する。種々の実施形態について図面を参照しながら説明するが、全体を通じて同様の要素を指示するために同様の参照番号が使用される。以下の記載では、１つまたは複数の実施形態の完全な理解を提供するために、説明する目的で多数の特定の細部が提示されている。例示された実施形態は、本発明を説明することを意図したものであり、本発明を限定することを意図したものではないことに留意されたい。そのような実施形態は、これらの特定の細部がなくても実施できることは明らかである。
【００２３】
図１には、本発明によるＲＦ電力を合成または分配するための修正型ＲＦパワーコンバイナ１が示されている。修正型ＲＦパワーコンバイナ１は、修正型ＲＦパワースプリッタでもあるが、本開示では簡略化のために、ＲＦ電力を合成する機能または分配する機能の両方に対して「修正型ＲＦパワーコンバイナ」という用語のみが使用される。修正型ＲＦパワーコンバイナ１は、整合回路３と、複数の第１のＲＦポート４と、１つだけの第２のＲＦポート７と、ケーシング２とを含む。整合回路３は、ケーシング２の内部に配置されている。複数の第１のＲＦポート４および第２のＲＦポート７は、ケーシング２の第１の側２１に配置されている。
【００２４】
第１のＲＦポート４は、第２のＲＦポート７とは機能的に異なっている。すなわち、修正型ＲＦパワーコンバイナ１がＲＦ電力またはＲＦ信号を合成するために使用される場合には、第１のＲＦポート４は、修正型ＲＦパワーコンバイナ１へのＲＦ信号の入力部として機能し、第２のＲＦポート７は、修正型ＲＦパワーコンバイナ１から発信されるＲＦ信号の出力部として機能する。同様にして、修正型ＲＦパワーコンバイナ１がＲＦ電力またはＲＦ信号を分配または分割するために使用される場合には、第２のＲＦポート７は、修正型ＲＦパワーコンバイナ１へのＲＦ信号の入力部として機能し、第１のＲＦポート４は、修正型ＲＦパワーコンバイナ１から発信されるＲＦ信号の出力部として機能する。
【００２５】
修正型ＲＦパワーコンバイナ１がＲＦ電力またはＲＦ信号を合成するために使用される場合には、整合回路３は、複数のＲＦ入力信号を受信して単一のＲＦ出力信号を送信するＲＦ電力合成回路である。整合回路３は、第１のＲＦポート４に接続されている。整合回路３は、複数の第１のＲＦポート４のうちの２つ以上から第１のＲＦポート４の内部導体５を介してＲＦ電力を受信し、受信したＲＦ電力のインピーダンスを単一の結果出力のインピーダンスに変換する。単一の結果出力は、単一の伝送線路６を介して整合回路３から出力される。整合回路３は、例えばゼロ度ＲＦパワーコンバイナのように種々の形式のものでよく、任意の技術的仕様を有することができる。このような整合回路３の構造および動作は、高周波技術の分野、特にＲＦコンバイナの分野では周知であるので、本明細書では簡略化のために詳細には説明しない。
【００２６】
あるいは、修正型ＲＦパワーコンバイナ１がＲＦ電力またはＲＦ信号を分配するために使用される場合には、整合回路３は、単一のＲＦ入力信号を受信して複数のＲＦ出力信号を送信するＲＦ電力分配回路である。整合回路３は、単一の伝送線路６を介して第２のＲＦポート７に接続されている。整合回路３は、第２のＲＦポート７から単一の伝送線路６を介してＲＦ電力を受信し、受信したＲＦ電力のインピーダンスを複数の結果出力のインピーダンスに変換する。複数の結果出力は、内部導体５を介して整合回路３から出力され、最終的に複数の第１のＲＦポート４を通って出力される。整合回路３は、種々の形式のものでよく、任意の技術的仕様を有することができる。このような整合回路３の構造および動作は、高周波技術の分野、特にＲＦスプリッタの分野では周知であるので、本明細書では簡略化のために詳細には説明しない。
【００２７】
本開示における「接続された」なる用語または類似の語句は、伝送手段によってリンクされていて、この伝送手段を介してＲＦ電力を伝送できるようになっていることを意味することに留意されたい。したがって、「第１のエンティティが第２のエンティティに接続されている」と記載されている場合には、第１のエンティティは、伝送手段、例えばＲＦ導体または導波管を介して第２のエンティティにリンクされていて、この伝送手段を介してＲＦ電力を第１のエンティティと第２のエンティティとの間で伝送できるようになっている。さらに説明すると、「整合回路３が第１のＲＦポート４に接続されている」とは、整合回路３が伝送手段、この場合は内部導体５を介して第１のＲＦポート４にリンクされていて、ＲＦ電力またはＲＦ信号を整合回路３と第１のＲＦポート４との間で伝送できるようになっていることを意味する。したがって、ＲＦ信号が第１のＲＦポート４で受信されると、または第１のＲＦポート４に印加されると、この受信または印加されたＲＦ信号は、第１のＲＦポート４から内部導体５を介して整合回路３に伝送される。さらには、ＲＦ信号が整合回路３から内部導体５に向かう方向に出力または発信されると、この発信されたＲＦ信号は、整合回路３から内部導体５を介して第１のＲＦポート４に伝送される。
【００２８】
同様にして、「整合回路３が第２のＲＦポート７に接続されている」とは、整合回路３が伝送手段、この場合は単一の伝送線路６を介して第２のＲＦポート７にリンクされていて、ＲＦ電力またはＲＦ信号を整合回路３と第２のＲＦポート７との間で伝送できるようになっていることを意味する。したがって、ＲＦ信号が第２のＲＦポート７で受信されると、または第２のＲＦポート７に印加されると、この受信または印加されたＲＦ信号は、第２のＲＦポート７から単一の伝送線路６を介して整合回路３に伝送される。さらには、ＲＦ信号が整合回路３から単一の伝送線路６に向かう方向に出力または発信されると、この発信されたＲＦ信号は、整合回路３から単一の伝送線路６を介して第２のＲＦポート７に伝送される。
【００２９】
修正型ＲＦパワーコンバイナ１では、ケーシング２は、整合回路３と、整合回路３と第１のＲＦポート４と第２のＲＦポート７との間の接続部とを、収納または包囲または収容している。複数の第１のＲＦポート４および第２のＲＦポート７は、ケーシング２の第１の側２１に配置または設置されている。修正型ＲＦパワーコンバイナ１の１つの実施形態では、単一の伝送線路６は、整合回路３と第２のＲＦポート７との間に１８０度の折り返しを形成しており、したがって、第１のＲＦポート４と第２のＲＦポート７とを、ケーシング２の同じ側、すなわちケーシング２の第１の側２１に配置することが可能となる。
【００３０】
ケーシング２は、カバーリングまたはエンクロージャであり、種々の形状および寸法を有することができる。例えばケーシング２は、限定するものではないが箱とすることができ、すなわち直方体形、円筒形、六角柱形などを有する箱とすることができる。ケーシング２が直方体の形状である場合、ケーシング２の第１の側２１は、直方体の面の１つである。図１に図示されるように、直方体形のケーシング２の断面において、第１のＲＦポート４および第２のＲＦポート７はすべて、直方体形のケーシング２の１つだけの面を形成する第１の側２１に配置されている。他の側２２，２３，２４には、第１のＲＦポート４および／または第２のＲＦポート７がない。ケーシング２は、ＲＦ信号処理装置またはＲＦ伝送線路を収容するために使用される任意の適切な材料から形成することができ、例えばケーシング２は、金属、合金、ポリマー、プラスチックなどで形成されてもよい。
【００３１】
修正型ＲＦパワーコンバイナ１の１つの実施形態では、複数の第１のＲＦポート４および第２のＲＦポート７は、ケーシング２の第１の側２１に位置するケーシング２の壁２５に埋め込まれている。本明細書で使用される「埋め込まれている」なる用語は、内部に形成されているか、内部で取り囲まれているか、または内部に入れ込まれていることを意味する。修正型ＲＦパワーコンバイナ１では、ケーシング２の壁２５は、この壁２５に埋め込まれている複数の第１のＲＦポート４および第２のＲＦポート７と共に、容積（図示せず）を完全にまたは完璧に被覆または包囲している。整合回路３は、容積内に配置されている。
【００３２】
修正型ＲＦパワーコンバイナ１の１つの実施形態では、整合回路３、内部導体５、および単一の伝送線路６は、整合回路３、内部導体５、および単一の伝送線路６が互いに対して、かつケーシング２に対して固定された位置にあるように、ケーシング２の内部に配置されている。このことは、整合回路３、内部導体５、および単一の伝送線路６を、例えばねじを用いてケーシング２に固定または締結することによって達成される。あるいは、修正型ＲＦパワーコンバイナ１を、整合回路３、内部導体５、および単一の伝送線路６がケーシング２の表面（図示せず）に製造されるように製造してもよい。このような製造の１つの例は、整合回路３、内部導体５、および単一の伝送線路６の回路をケーシング２の表面に印刷することによる。
【００３３】
ケーシング２が直方体の形状である修正型ＲＦパワーコンバイナ１の実施形態では、直方体形のケーシング２が、１９インチラックの内部に取り付けることができるように適合されている。このような１９インチラックまたは１９インチキャビネットは周知であり、複数の機器モジュールを取り付けるための標準化されたフレームまたはエンクロージャとして一般的に使用されている。ケーシング２の寸法は、ケーシング２、ひいては修正型ＲＦパワーコンバイナ１が１９インチラックに適合するように、すなわちケーシング２、ひいては修正型ＲＦパワーコンバイナ１をモジュールの１つとして１９インチラック内に取り付けることができるように、設定されている。ケーシング２はさらに、修正型ＲＦパワーコンバイナ１を標準的な１９インチラックの内部に取り付けるための取付け手段１４を含むことができる。修正型ＲＦパワーコンバイナ１の１つの実施形態では、取付け手段１４は、ケーシング２の他の側２２，２３，２４のうちの１つまたは複数の側に配置されている。これら他の側２２，２３，２４は、ケーシング２の第１の側２１とは異なる側である。
【００３４】
修正型ＲＦパワーコンバイナ１の１つの実施形態では、取付け手段１４は、スライド手段である。この実施形態では、１９インチラックのレールにスライド手段をスライド式に係合させることによって、修正型ＲＦパワーコンバイナ１を１９インチラックの内部に取り付けることができる。一般的に、１対のレールが１９インチラックに直接的に取り付けられており、または固定されており、その場合には、ケーシング２のスライド手段を１９インチラックのレールに接触させることにより、このレールに沿って修正型ＲＦパワーコンバイナ１が１９インチラック内へとスライドする。ケーシング２は、１９インチラック内の所望の位置につくと、１９インチラックに対する追加的なロック機構（図示せず）によってこの所望の位置にロックされることができる。修正型ＲＦパワーコンバイナ１の別の実施形態では、取付け手段１４は、ケーシング２、ひいては修正型ＲＦパワーコンバイナ１を１９インチラックの内部に固定的に取り付けるための締結手段である。締結手段は、ボルトおよびねじ機構、またはクリックロック機構であってもよい。
【００３５】
本技術について特定の実施形態を参照しながら詳細に説明してきたが、本技術がこれらの正確な実施形態に限定されていないことを理解すべきである。むしろ、本開示が本発明を実施するための例示的な形態を説明していることを考慮すると、本発明の範囲および趣旨から逸脱することなく当業者にとって多くの修正および変形が存在しうる。それゆえ、本発明の範囲は、前述した説明によって指示されるのではなく、添付の特許請求の範囲によって指示される。特許請求の範囲と同等の意味および範囲に含まれるすべての変更、修正、および変形は、特許請求の範囲内にあるとみなされるべきである。
【図１】
2017538358.tif 000003
【国際調査報告】
2017538358.tif 000004
2017538358.tif 000005
2017538358.tif 000006